【手続補正書】
【提出日】平成16年10月12日(2004.10.12)
【手続補正１】
【補正対象書類名】明細書
【補正対象項目名】特許請求の範囲
【補正方法】変更
【補正の内容】
【特許請求の範囲】
【請求項１】
レーザー光源と、
該レーザー光源を駆動するレーザー駆動手段と、
該レーザー駆動手段によって該レーザー光源から放射したレーザービームを集光して光ディスクに照射するレーザービーム照射手段と、
電力の状態を監視する電力監視手段とを備え、
該電力監視手段により監視される電力が第１の所定値以下になった場合は、一定光量のレーザービームを光ディスクに照射し、
該電力監視手段により監視される電力が第２の所定値以上になった場合は、記録すべき情報に基づいてパルス状の光量のレーザービームを光ディスクに照射することを特徴とする光ディスク記録再生装置。
【請求項２】
レーザー光源と、
該レーザー光源を駆動するレーザー駆動手段と、
該レーザー駆動手段によって該レーザー光源から放射したレーザービームを集光して光ディスクに照射するレーザービーム照射手段と、
電力の状態を監視する電力監視手段とを備え、
該電力監視手段により監視される電力が第１の所定値以下になった場合は、再生パワーのレーザービームを光ディスクに照射し、
該電力監視手段により監視される電力が第２の所定値以上になった場合は、記録パワーのレーザービームを光ディスクに照射することを特徴とする光ディスク記録再生装置。
【請求項３】
レーザー光源と、
該レーザー光源を駆動するレーザー駆動手段と、
該レーザー駆動手段によって該レーザー光源から放射したレーザービームを集光して光ディスクに照射するレーザービーム照射手段と、
電力の状態を監視する電力監視手段とを備え、
該電力監視手段により監視される電力が第１の所定値以下になった場合は、記録すべき情報に基づいてパルス状の光量のレーザービームを光ディスクに照射する記録状態と一定光量のレーザービームを光ディスクに照射する休止状態を繰返し、
該電力監視手段により監視される電力が第２の所定値以上になった場合は、記録すべき情報に基づいてパルス状の光量のレーザービームを光ディスクに照射することを特徴とする光ディスク記録再生装置。
【請求項４】
レーザー光源と、
該レーザー光源を駆動するレーザー駆動手段と、
該レーザー駆動手段によって該レーザー光源から放射したレーザービームを集光して光ディスクに照射するレーザービーム照射手段と、
電力の状態を監視する電力監視手段とを備え、
該電力監視手段により監視される電力が第１の所定値以下になった場合は、記録パワーのレーザービームを照射する記録動作状態と再生パワーのレーザービームを照射する休止動作状態を繰返し、
該電力監視手段により監視される電力が第２の所定値以上になった場合は、記録パワーのレーザービームを光ディスクに照射することを特徴とする光ディスク記録再生装置。
【請求項５】
請求項１から４のいずれか１項に記載の光ディスク記録再生装置において、
該電力監視手段は、該レーザー駆動手段に供給される電力の電圧を検出する電圧検出手段であることを特徴とする光ディスク記録再生装置。
【請求項６】
請求項１から４のいずれか１項に記載の光ディスク記録再生装置において、
該レーザー駆動手段に供給される電力を蓄積するための電力蓄積手段を設けたことを特徴とする光ディスク記録再生装置。
【請求項７】
レーザー光源と、
該レーザー光源を駆動するレーザー駆動手段と、
光ディスクを回転する光ディスク回転手段と、
該レーザー駆動手段によって該レーザー光源から放射したレーザービームを集光して回転する光ディスクに照射するレーザービーム照射手段と、
該レーザービーム照射手段によって光ディスクに照射されるレーザービームの位置を移動する照射位置移動手段とを備え、
該レーザー駆動手段は、該レーザービーム照射手段によって光ディスクに照射されるレーザービームの位置情報に基づいて、記録すべき情報に基づいてパルス状の光量のレーザービームを光ディスクに照射する記録状態の時間間隔と一定光量のレーザービームを光ディスクに照射する休止状態の時間間隔を変更することを特徴とする光ディスク記録再生装置。
【請求項８】
請求項７に記載の光ディスク記録再生装置において、
該レーザービーム照射手段によって照射されるレーザービームの位置が光ディスクの外周に行く程、該光ディスク回転手段は光ディスクの回転速度が遅くなるように回転を制御するとともに、該レーザー駆動手段は該休止状態の時間間隔に対する該記録状態の時間間隔の比が大きくなるように記録状態の時間間隔と休止状態の時間間隔を変更することを特徴とする光ディスク記録再生装置。
【請求項９】
電力の状態を監視する電力監視ステップと、
該電力が第１の所定値以下になった場合、一定光量のレーザービームを光ディスクに照射するステップと、
該電力が第２の所定値以上になった場合、記録すべき情報に基づいてパルス状の光量のレーザービームを光ディスクに照射するステップとを備える特徴とする光ディスク記録再生方法。
【請求項１０】
電力の状態を監視する電力監視ステップと、
該電力が第１の所定値以下になった場合、記録すべき情報に基づいてパルス状の光量のレーザービームを光ディスクに照射する記録状態と一定光量のレーザービームを光ディスクに照射する休止状態を繰返し行うステップと、
該電力が第２の所定値以上になった場合、記録すべき情報に基づいてパルス状の光量のレーザービームを光ディスクに照射するステップとを備えることを特徴とする光ディスク記録再生方法。
【請求項１１】
記録すべき情報に基づいてパルス状の光量のレーザービームを光ディスクに照射するステップと、
一定光量のレーザービームを該光ディスクに照射するステップと、
該光ディスクに照射されるレーザービームの位置情報に基づいて、記録すべき情報に基づいてパルス状の光量のレーザービームを光ディスクに照射する記録状態の時間間隔と一定光量のレーザービームを光ディスクに照射する休止状態の時間間隔を変更するステップとを備えることを特徴とする光ディスク記録再生方法。
【請求項１２】
請求項１１に記載の光ディスク記録再生方法において、
該時間間隔を変更するステップは、レーザービームの照射位置が光ディスクの外周に行く程、光ディスクの回転速度が遅くなるように回転を制御するステップと、該休止状態の時間間隔に対する該記録状態の時間間隔の比が大きくなるように記録状態の時間間隔と休止状態の時間間隔を変更するステップとを有することを特徴とする光ディスク記録再生方法。
【手続補正２】
【補正対象書類名】明細書
【補正対象項目名】００１０
【補正方法】変更
【補正の内容】
【００１０】
【課題を解決するための手段】
第１の発明では、光ディスク記録再生装置は、レーザー光源と、該レーザー光源を駆動するレーザー駆動手段と、該レーザー駆動手段によって該レーザー光源から放射したレーザービームを集光して光ディスクに照射するレーザービーム照射手段と、電力の状態を監視する電力監視手段とを備え、該電力監視手段により監視される電力が第１の所定値以下になった場合は、一定光量のレーザービームを光ディスクに照射し、該電力監視手段により監視される電力が第２の所定値以上になった場合は、記録すべき情報に基づいてパルス状の光量のレーザービームを光ディスクに照射する。
【手続補正３】
【補正対象書類名】明細書
【補正対象項目名】００１１
【補正方法】変更
【補正の内容】
【００１１】
第２の発明では、光ディスク記録再生装置は、レーザー光源と、該レーザー光源を駆動するレーザー駆動手段と、該レーザー駆動手段によって該レーザー光源から放射したレーザービームを集光して光ディスクに照射するレーザービーム照射手段と、電力の状態を監視する電力監視手段とを備え、該電力監視手段により監視される電力が第１の所定値以下になった場合は、再生パワーのレーザービームを光ディスクに照射し、該電力監視手段により監視される電力が第２の所定値以上になった場合は、記録パワーのレーザービームを光ディスクに照射する。
【手続補正４】
【補正対象書類名】明細書
【補正対象項目名】００１２
【補正方法】変更
【補正の内容】
【００１２】
第３の発明では、光ディスク記録再生装置は、レーザー光源と、該レーザー光源を駆動するレーザー駆動手段と、該レーザー駆動手段によって該レーザー光源から放射したレーザービームを集光して光ディスクに照射するレーザービーム照射手段と、電力の状態を監視する電力監視手段とを備え、該電力監視手段により監視される電力が第１の所定値以下になった場合は、記録すべき情報に基づいてパルス状の光量のレーザービームを光ディスクに照射する記録状態と一定光量のレーザービームを光ディスクに照射する休止状態を繰返し、該電力監視手段により監視される電力が第２の所定値以上になった場合は、記録すべき情報に基づいてパルス状の光量のレーザービームを光ディスクに照射する。
【手続補正５】
【補正対象書類名】明細書
【補正対象項目名】００１３
【補正方法】変更
【補正の内容】
【００１３】
第４の発明では、光ディスク記録再生装置は、レーザー光源と、該レーザー光源を駆動するレーザー駆動手段と、該レーザー駆動手段によって該レーザー光源から放射したレーザービームを集光して光ディスクに照射するレーザービーム照射手段と、電力の状態を監視する電力監視手段とを備え、該電力監視手段により監視される電力が第１の所定値以下になった場合は、記録パワーのレーザービームを照射する記録動作状態と再生パワーのレーザービームを照射する休止動作状態を繰返し、該電力監視手段により監視される電力が第２の所定値以上になった場合は、記録パワーのレーザービームを光ディスクに照射する。
【手続補正６】
【補正対象書類名】明細書
【補正対象項目名】００１４
【補正方法】変更
【補正の内容】
【００１４】
第５の発明では、第１ないし第４の発明において、該電力監視手段は、該レーザー駆動手段に供給される電力の電圧を検出する電圧検出手段である。
【手続補正７】
【補正対象書類名】明細書
【補正対象項目名】００１５
【補正方法】変更
【補正の内容】
【００１５】
第６の発明では、第１ないし第４の発明において、該レーザー駆動手段に供給される電力を蓄積するための電力蓄積手段を設けた。